(57)【要約】【課題】装置の起動時に適応的において音声通信機能の状態を設定する情報処理装置及び音声通信機能の設定方法を提供する。【解決手段】実施形態によれば、情報処理装置は、接続手段と、第１の判断手段と、設定手段とを備える。前記接続手段は、インターネットに接続する。前記第１の判断手段は、当該情報処理装置の起動命令に基づいて、当該情報処理装置の起動要因を判断する。前記設定手段は、前記起動要因に基づいて、前記インターネットを介した音声通信機能の状態を切り替えて設定する。【選択図】図２
2014017761.tif 000002
【特許請求の範囲】
【請求項１】
インターネットに接続する接続手段と、
当該情報処理装置の起動命令に基づいて、当該情報処理装置の起動要因を判断する判断手段と、
前記起動要因に基づいて、前記インターネットを介した音声通信機能の状態を切り替えて設定する設定手段と、
を備える情報処理装置。
【請求項２】
前記設定手段は、前記起動要因が予め設定されたタイマー機能に基づく場合、前記音声通信機能を起動し、前記音声通信機能での状態を着信待受不可状態に設定する、請求項１記載の情報処理装置。
【請求項３】
前記設定手段は、着信時に録音機能を起動する、請求項２記載の情報処理装置。
【請求項４】
前記設定手段は、前記起動要因がユーザ操作による起動命令に基づく場合、前記音声通信機能を起動し、前記音声通信機能での状態を着信待受状態に設定する、請求項１記載の情報処理装置。
【請求項５】
前記音声通信機能での状態の情報をサーバに送信する送信制御手段を備える、請求項１記載の情報処理装置。
【請求項６】
前記設定手段は、前記起動要因が予め設定されたタイマー機能に基づく場合、前記音声通信機能をにサインインしないように制御する、請求項１記載の情報処理装置。
【請求項７】
当該情報処理装置に接続されているカメラの撮影領域内にいるユーザの生体認証に基づいて、前記ユーザに対応するアカウントを取得する取得手段と、
前記設定手段は、前記アカウントで前記音声通信機能にサインインし、前記音声通信機能での状態を着信待受状態に設定する、請求項１記載の情報処理装置。
【請求項８】
前記取得手段が前記アカウントを取得できない場合、前記設定手段は、前記音声通信機能にサインインしないように制御する、請求項７記載の情報処理装置。
【請求項９】
前記音声通信機能にサインインしていない状態において、前記取得手段は、前記生体認証に基づいて、前記アカウントを取得し、
前記設定手段は、前記アカウントで前記音声通信機能にサインインし、前記音声通信機能での状態を着信待受状態に設定する、請求項８記載の情報処理装置。
【請求項１０】
前記設定手段は、前記音声通信機能にサインインした後、ユーザ操作または着信なしで一定時間経過した場合、前記音声通信機能の動作を停止する、請求項１記載の情報処理装置。
【請求項１１】
前記設定手段は、前記音声通信機能にサインインした後及び前記音声通信機能からサインアウトする際に、前記一定時間を変更するための画面を表示制御し、ユーザ操作に基づいて前記一定時間を変更する、請求項１０記載の情報処理装置。
【請求項１２】
装置の起動命令に基づいて、当該装置の起動要因を判断し、
前記起動要因に基づいて、インターネットを介した音声通信機能の状態を切り替えて設定する、
音声通信機能の設定方法。
【発明の詳細な説明】
【技術分野】
【０００１】
本実施形態は、音声通信可能な情報処理装置及び音声通信機能の設定方法に関する。
【背景技術】
【０００２】
インターネット網の普及に伴い、テレビジョン受信装置は、インターネット網を介してコンテンツを取得可能になってきている。
【０００３】
さらに、テレビジョン受信装置は、ＩＰ（Internet Protocol）を用いるＩＰ電話（音声通話機能）を利用可能になってきている。
【先行技術文献】
【特許文献】
【０００４】
【特許文献１】特開２００２−１９９０６１号公報
【発明の概要】
【発明が解決しようとする課題】
【０００５】
テレビジョン受信装置が起動すると、テレビジョン受信装置は、例えば、ＩＰ電話機能（ＩＰ電話アプリケーション）を起動し、テレビジョン受信装置に設定された特定のユーザのアカウントでサインインすることがある。さらに、テレビジョン受信装置は、サインインしたＩＰ電話機能のユーザのステータスを着信待受状態に設定することがある。
【０００６】
しかしながら、テレビジョン受信装置の起動要因は、特定のユーザによる電源オンの入力に起因するもの以外にも、特定のユーザ以外のユーザによる電源オン入力に起因するものもあり、さらに、録画予約機能、オンタイマー機能、リマインダ機能などの予め設定されたタイマー機能に起因するものもある。
【０００７】
テレビジョン受信装置が、起動要因にかかわらずＩＰ電話機能にサインインして、ユーザのステータスを着信待受状態に設定すると、設定されたステータスは、必ずしも正しいとは言えない。
【０００８】
正しいステータスの設定がなされないとなると、ユーザは、ＩＰ電話機能において正しいステータスに切り替える手間を要し不便である。一方、他のユーザは、通常、相手のステータスを確認してＩＰ電話で呼び出すが、相手のステータスが誤っていると、相手は通話を開始することはないので、無駄な待ち時間を強いられることになる。
【０００９】
本発明の目的は、装置の起動時において適応的に音声通信機能の状態を切り替えて設定する情報処理装置及び音声通信機能の設定方法を提供することである。
【課題を解決するための手段】
【００１０】
実施形態によれば、情報処理装置は、接続手段と、第１の判断手段と、設定手段とを備える。前記接続手段は、インターネットに接続する。前記第１の判断手段は、当該情報処理装置の起動命令に基づいて、当該情報処理装置の起動要因を判断する。前記設定手段は、前記起動要因に基づいて、前記インターネットを介した音声通信機能の状態を切り替えて設定する。
【図面の簡単な説明】
【００１１】
【図１】実施形態に係るテレビジョン受信装置の一例となるブロック図。
【図２】実施形態に係るＩＰ電話機能の起動処理の一例となるフローチャート。
【図３】実施形態に係るＩＰ電話機能の起動処理の他の例となるフローチャート。
【図４】実施形態に係るＩＰ電話機能でのサインイン処理のフローチャート。
【図５】実施形態に係るＩＰ電話機能でのサインアウト処理のフローチャート。
【図６】実施形態に係るタイムアウトの変更処理のフローチャート。
【図７】実施形態に係る一例となる画面図。
【図８】実施形態に係るＩＰ電話機能の一例となる画面図。
【図９】実施形態に係るＩＰ電話機能の一例となる画面図。
【発明を実施するための形態】
【００１２】
以下、本実施形態について図面を参照して説明する。図１は、本実施形態に係るテレビジョン受信装置（情報処理装置）１の一例となるブロック図である。テレビジョン受信装置１は、例えば放送波またはインターネット網１００を介したコンテンツを受信して音声、映像を再生する装置である。さらに、テレビジョン受信装置１は、ＴＶ装置１は、インターネット網１００を介して接続される任意の相手先との間で、ＩＰを用いるＩＰ電話機能（インターネット網１００を介した音声通信機能）を利用可能である。ＩＰ電話は、音声のみの通信だけでなく、映像が付属された音声通信も可能である。インターネット網１００には、ＩＰ電話を制御するＩＰ電話サーバ１０１が接続されている。なお、本実施形態は、テレビジョン受信装置１を例にして説明するが、インターネット網１００に接続可能であって、ＩＰ電話機能を起動できる装置であれば適用できる。
【００１３】
テレビジョン受信装置１は、チューナ部１１、Ｄｅｍｕｘ部（分離部）１２、映像処理ブロック２１、音声処理ブロック３１、ディスプレイ２４、スピーカ３６、ＩＰ電話制御部４１、主制御ブロック５１、入力部６１を備える。  
チューナ部１１は、放送波を介してコンテンツデータを受信し、Ｄｅｍｕｘ部１２に供給する。Ｄｅｍｕｘ部１２は、コンテンツデータを映像データと音声データとに分離する。Ｄｅｍｕｘ部１２は、映像データを映像処理ブロック２１に供給し、音声データを音声処理ブロック３１に供給する。
【００１４】
映像処理ブロック２１は、映像デコーダ２２、映像処理部２３を備える。映像デコーダ２２は、映像データをデコードし、映像処理部２３に供給する。映像処理部２３は、映像データを後段のディスプレイ２４が表示可能となるように、所定の解像度及び出力方式、例えばインターレース（ｉ）／ノンインターレース（ｐ）等に変換し、ディスプレイ２４に供給する。なお、映像処理部２３は、例えば外部モニタ等が接続可能な出力端２５に映像データを供給してもよい。  
音声処理ブロック３１は、音声デコーダ３２、音声処理部３３、遅延部３４、Ｄ(digital)−Ａ(Analog)コンバータ３５を備える。音声デコーダ３２は、音声データをデコードし、音声処理部３３に供給する。音声処理部３３は、音声データを後段のスピーカ３６が再生可能となるように処理し、遅延部３４に供給する。遅延部３４は、音声処理部３３が出力する音声データと映像処理部２３が出力する映像データとの間で時間的な整合をとるために、音声データに所定時間の遅延を与え、Ｄ−Ａコンバータ３５に供給する。Ｄ−Ａコンバータ３５は、音声データをアナログの音声に変換し、スピーカ３６に供給する。なお、Ｄ−Ａコンバータ３５は、例えば外部スピーカ等が接続可能な出力端３７に音声を供給してもよい。
【００１５】
ＩＰ電話制御部４１は、Ｄ−Ａコンバータ４２、映像処理部４３、Ａ−Ｄコンバータ４４、カメラ映像処理部４５を備える。ＩＰ電話制御部４１は、マイク（音声入力部）４７、イヤホン（音声再生部）４８、カメラ（撮影部）４９を含む通信セット４６と接続可能である。通信セット４６は、テレビジョン受信装置１に含まれる要素であっても、別の要素であってもよい。なお、ＩＰ電話制御部４１は、主制御ブロック５１のファームウエア、あるいは予め用意されたアプリケーション（プログラム）に従い動作するＩＰ電話機能、例えばＳｋｙｐｅ社が提供するＩＰ電話である「Ｓｋｙｐｅ」等、に準じ、インターネット網１００を介した接続相手先との音声通信、または映像が付属された音声通信を制御する。  
Ｄ−Ａコンバータ４２は、後述するインターネット網１００を介したＩＰ電話で接続相手先から送信される音声データが音声処理部３３または遅延部３４から供給される。Ｄ−Ａコンバータ４２は、音声データをアナログの音声に変換し、イヤホン４７に供給する。なお、Ｄ−Ａコンバータ４２は、上述のＤ−Ａコンバータ３５と共通の要素であっても、別の要素であってもよい。映像処理部４３は、ＩＰ電話で接続相手先から送信される映像データを後段のディスプレイ２４が表示可能となるように処理する。映像処理部４３は、例えばＪＰＥＧ（Joint Photographic Experts Group）に代表される静止画や、例えばＭＰＥＧ（Moving Picture Experts Group）−２，−４（Ｈ．２６４−ＡＶＣ）に代表される動画を再生できる。なお、映像処理部４３は、上述の映像処理部２３と共通の要素であっても、別の要素であってもよい。
【００１６】
Ａ−Ｄコンバータ４４は、マイクロフォン４８で入力された音声をデジタルの音声データに変換する。Ａ−Ｄコンバータ４４は、音声データをＩＰ電話で接続相手先に送信するために音声データを主制御ブロック５１に供給する。  
カメラ映像処理部４５は、カメラ４８の撮影領域内（例えば、ディスプレイ２４の前）にいるユーザの顔等の画像を撮影するカメラ４８からの映像データを映像処理する。カメラ映像処理部４５は、映像データをＩＰ電話で接続相手先に送信するために映像データを主制御ブロック５１に供給する。なお、カメラ映像処理部４５は、カメラ４８からの映像データに基づいて、例えばカメラ４８の撮影領域内にいるユーザの顔（生体情報であれば限定されない）を検出、認証する機能も備える。なお、顔検出、顔認証の手法は、特に限定されない。なお、顔検出、顔認証機能は、カメラ４８が備えていてもよい。この場合、カメラ映像処理部４５は、顔認証の結果をカメラ４８から受信すればよい。
【００１７】
主制御ブロック５１は、メインマイクロコンピュータ５２、メモリユニット５３、状態管理部５４、ＧＵＩ（Graphical User Interface）制御部５５、ネットワーク制御部５６、受信部５７、タイマー５８、サブマイクロコンピュータ５９を備える。  
メインマイクロコンピュータ５２は、テレビジョン受信装置１の各要素の動作を制御する。メインマイクロコンピュータ５２は、判断手段５２ａ、設定手段５２ｂ、送信制御手段５２ｃ、取得手段５２ｄを備える。判断手段５２ａは、例えば、後述するようにテレビジョン受信装置１の起動要因を判断する。設定手段５２ｂは、例えば、後述するようにＩＰ通信機能に関する各種設定を実行する。送信制御手段５２ｃは、例えば、後述するように各種情報をＩＰ電話サーバ１０１に送信するように制御する。取得手段５２ｄは、例えば、後述するようにメモリユニット５３に記録されているユーザのアカウントを取得する。メモリユニット５３は、動作プログラムを保持したＲＯＭ、ワークメモリとして機能するＲＡＭ、各種情報を記憶するメモリを少なくとも含む。状態管理部５４は、インターネット網１００を介したＩＰ電話制御部４１に対する外部からの着信あるいはＩＰ電話制御部４１からの接続相手先への送信を管理する。ＧＵＩ制御部５５は、ディスプレイ２４に表示するＧＵＩの表示及びＧＵＩからのユーザ入力を処理する。ネットワーク制御部５６は、インターネット網１００との間の接続を制御する。ネットワーク制御部５６は、インターネット網１００に接続する接続手段として機能する。
【００１８】
受信部５７は、入力部６１またはリモートコントローラ５からの指示を受け付ける。例えば、入力部６１またはリモートコントローラ５は、ユーザによる即時のテレビジョン受信装置１の起動（電源オン）命令を入力可能である。受信部５７は、テレビジョン受信装置１の起動命令をサブマイクロコンピュータ５９に供給する。本実施形態では、受信部５７を介したサブマイクロコンピュータ５９への起動命令をユーザ操作による起動命令という。  
タイマー５８は、現在日時を計時し、録画予約機能、オンタイマー機能、リマインダ機能などのタイマー機能により予めユーザが設定した日時を管理するＲＴＣ(Real Rime Clock)として機能する。タイマー５８は、現在日時が設定日時になると、テレビジョン受信装置１の起動命令をサブマイクロコンピュータ５９に供給する。本実施形態では、タイマー５８からサブマイクロコンピュータ５９への起動命令をＲＴＣによる起動命令または予め設定されたタイマー機能による起動命令という。
【００１９】
サブマイクロコンピュータ５９は、テレビジョン受信装置１の電源オフ時も起動しており、受信部５８またはタイマー５９からのテレビジョン受信装置１の起動命令を待ち受ける。つまり、サブマイクロコンピュータ５９は、起動命令に基づいてテレビジョン受信装置１の起動要因を管理するマイクロコンピュータである。サブマイクロコンピュータ５９は、テレビジョン受信装置１の起動要因をレジスタ６９１に記録する。
【００２０】
次に、ＩＰ電話機能の起動処理について説明する。図２は、テレビジョン受信装置１の起動時におけるＩＰ電話機能の起動処理の一例となるフローチャートである。なお、テレビジョン受信装置１は、電源オフの状態とする。  
サブマイクロコンピュータ５９は、テレビジョン受信装置１の起動命令を検出する（Ｂｌｏｃｋ１００１）。Ｂｌｏｃｋ１００１では、メインマイクロコンピュータ５２は、サブマイクロコンピュータ５９による起動命令の検出に基づいて、テレビジョン受信装置１を起動するように制御する。サブマイクロコンピュータ５９は、受信した起動命令に基づいて、テレビジョン受信装置１の起動要因をレジスタ５９１に記録する（Ｂｌｏｃｋ１００２）。メインマイクロコンピュータ５２は、ＩＰ電話機能を起動し、テレビジョン受信装置１に設定されている特定のアカウントで、ＩＰ電話機能に自動でサインインする（Ｂｌｏｃｋ１００３）。サインインとは、特定のアカウント名でＩＰ電話機能を実行可能にするための入力であり、ログインも同様の意味である。メインマイクロコンピュータ５２は、レジスタ５９１から起動要因を取得する（Ｂｌｏｃｋ１００４）。メインマイクロコンピュータ５２は、起動要因がＲＴＣ（予め設定されたタイマー機能）に基づいているか否かを判断する（Ｂｌｏｃｋ１００５）。つまり、Ｂｌｏｃｋ１００５では、メインマイクロコンピュータ５２は、テレビジョン受信装置１の起動命令に基づいて、テレビジョン受信装置１の起動要因を判断する。起動要因がＲＴＣに基づいている場合（Ｂｌｏｃｋ１００５、Ｙｅｓ）、メインマイクロコンピュータ５２は、ＩＰ電話機能でのステータス（着信待ち受け方法）を「Do not Disturb」に設定する（Ｂｌｏｃｋ１００６）。なお、ステータスとは、サインインしたアカウントのユーザの現在の状態を示し、ユーザ操作または自動で設定される。なお、本実施形態では、「Do not Disturb」のステータスは、例えば、ＩＰ電話で接続相手先からの着信があった場合に、サインインしたアカウントのユーザが着信に対して応答不可状態、着信待受不可状態であること、つまり、即時の通話ができないことを示す。起動要因がＲＴＣに基づいていない場合（つまり、起動要因がユーザ操作による起動命令に基づいている場合）（Ｂｌｏｃｋ１００５、Ｎｏ）、メインマイクロコンピュータ５２は、ＩＰ電話機能でのステータスを「On line」に設定する（Ｂｌｏｃｋ１００７）。なお、本実施形態では、「On line」のステータスは、例えば、ＩＰ電話で接続相手先からの着信があった場合に、サインインしたアカウントのユーザが着信に対して応答可状態、着信待受状態であること、つまり即時の通話ができることを示す。メインマイクロコンピュータ５２は、ネットワーク制御部５６を介して、Ｂｌｏｃｋ１００６またはＢｌｏｃｋ１００７で設定したＩＰ電話機能でのステータスの情報をＩＰ電話サーバ１０１に送信するように制御する（Ｂｌｏｃｋ１００８）。
【００２１】
図２に示す処理によれば、メインマイクロコンピュータ５２は、起動要因に基づいて、ＩＰ電話機能の状態を「On line」のステータスまたは「Do not Disturb」のステータスのいずれかに適切に自動で切り替えて設定することができる。そのため、ユーザは、ステータスの設定操作を省略できる。  
接続相手先は、ＩＰ電話サーバ１０１から配信される他のユーザのステータス情報を受信し、他のユーザのステータスをＩＰ電話機能の実行画面上に表示することができる。同様に、メインマイクロコンピュータ５２は、サーバから配信される他のユーザのステータス情報をネットワーク制御部５６を介して受信し、他のユーザのステータスをＩＰ電話の実行画面上に表示するように制御できる。
【００２２】
図３は、テレビジョン受信装置１の起動時におけるＩＰ電話機能の起動処理の他の例となるフローチャートである。なお、テレビジョン受信装置１は、電源オフの状態とする。  
サブマイクロコンピュータ５９は、テレビジョン受信装置１の起動命令を検出する（Ｂｌｏｃｋ２００１）。Ｂｌｏｃｋ２００１では、メインマイクロコンピュータ５２は、サブマイクロコンピュータ５９による起動命令の検出に基づいて、テレビジョン受信装置１を起動するように制御する。サブマイクロコンピュータ５９は、受信した起動命令に基づいて、テレビジョン受信装置１の起動要因をレジスタ５９１に記録する（Ｂｌｏｃｋ２００２）。メインマイクロコンピュータ５２は、レジスタ５９１から起動要因を取得する（Ｂｌｏｃｋ２００３）。メインマイクロコンピュータ５２は、起動要因がＲＴＣ（予め設定されたタイマー機能）に基づいているか否かを判断する（Ｂｌｏｃｋ２００４）。つまり、Ｂｌｏｃｋ２００４では、メインマイクロコンピュータ５２は、テレビジョン受信装置１の起動命令に基づいて、テレビジョン受信装置１の起動要因を判断する。起動要因がＲＴＣに基づいている場合（Ｂｌｏｃｋ２００４、Ｙｅｓ）、メインマイクロコンピュータ５２は、テレビジョン受信装置１のオン状態を維持するが、ＩＰ電話機能にサインインしないように制御する（Ｂｌｏｃｋ２００５）。起動要因がＲＴＣでない場合（つまり、起動要因がユーザ操作に基づいている場合）（Ｂｌｏｃｋ２００４、Ｎｏ）、カメラ映像処理部４５は、顔認証（生体認証）を実施する（Ｂｌｏｃｋ２００６）。Ｂｌｏｃｋ２０６では、カメラ映像処理部４５は、メインマイクロコンピュータ５２による制御に基づいて顔検出、顔認証を実行し、メインマイクロコンピュータ５２に顔認証結果を送信する。なお、顔検出、顔認証は、メインマイクロコンピュータ５２が実施するようにしてもよい。
【００２３】
メインマイクロコンピュータ５２は、カメラ４８の撮影領域内にいるユーザの顔認証結果に基づいて、顔認証を受けたユーザに対応するアカウントがメモリユニット５３に記録されているか否かを判断する（Ｂｌｏｃｋ２００７）。アカウントがメモリユニット５３に記録されていない場合（メインマイクロコンピュータ５２がアカウントを取得できない場合）（Ｂｌｏｃｋ２００７、Ｎｏ）、メインマイクロコンピュータ５２は、Ｂｌｏｃｋ２００５の処理をする。アカウントがメモリユニット５３に記録されている場合（Ｂｌｏｃｋ２００７、Ｙｅｓ）メインマイクロコンピュータ５２は、アカウントを取得し、ＩＰ電話機能を起動し、取得したアカウントでＩＰ電話機能にサインインし、ＩＰ電話機能でのステータスを「On line」に設定する（Ｂｌｏｃｋ２００８）。メインマイクロコンピュータ５２は、ネットワーク制御部５６を介して、設定したＩＰ電話機能でのステータスの情報をＩＰ電話サーバ１０１に送信するように制御する（Ｂｌｏｃｋ２００９）。メインマイクロコンピュータ５２は、テレビジョン受信装置１のオン状態を維持し、ＩＰ電話機能に「On line」のステータスでサインインしている状態を維持する（Ｂｌｏｃｋ２０１０）。
【００２４】
図３に示す処理によれば、メインマイクロコンピュータ５２は、起動要因及び顔認証に基づいて、ＩＰ電話機能の状態をサインインなしまたは「On line」のステータスでサインインのいずれかに適切に自動で切り替えて設定することができる。そのため、ユーザは、サインイン操作、ステータスの設定操作を省略できる。  
次に、Ｂｌｏｃｋ２００５の後のテレビジョン受信装置１による処理について説明する。図４は、ＩＰ電話機能でのサインイン処理のフローチャートである。ここでは、テレビジョン受信装置１は、電源オン状態を維持し、ＩＰ電話機能にサインインしていない状態を維持しているものとする。  
カメラ映像処理部４５は、カメラ４８が撮影した顔データを取得して顔検出を実施する（Ｂｌｏｃｋ３００１）。カメラ映像処理部４５は、顔認証を実施する（Ｂｌｏｃｋ３００２）。Ｂｌｏｃｋ３００２の処理は、Ｂｌｏｃｋ２００６と同様であってもよい。メインマイクロコンピュータ５２は、顔認証結果に基づいて、顔認証を受けたユーザに対応するアカウントがメモリユニット５３に記録されているか否かを判断する（Ｂｌｏｃｋ３００３）。
【００２５】
アカウントがメモリユニット５３に記録されていない場合（Ｂｌｏｃｋ３００３、Ｎｏ）、メインマイクロコンピュータ５２は、Ｂｌｏｃｋ３００１に戻ってカメラ映像処理部４５による顔検出処理を待つ。アカウントがメモリユニット５３に記録されている場合（Ｂｌｏｃｋ３００３、Ｙｅｓ）メインマイクロコンピュータ５２は、アカウントを取得し、ＩＰ電話機能を起動し、取得したアカウントでＩＰ電話機能にサインインし、ＩＰ電話機能でのステータスを「On line」に設定する（Ｂｌｏｃｋ３００４）。
【００２６】
メインマイクロコンピュータ５２は、ネットワーク制御部５６を介して、設定したＩＰ電話機能でのステータスの情報をＩＰ電話サーバ１０１に送信するように制御する（Ｂｌｏｃｋ３００５）。メインマイクロコンピュータ５２は、テレビジョン受信装置１のオン状態を維持し、ＩＰ電話機能に「On line」のステータスでサインインしている状態を維持する（Ｂｌｏｃｋ３００６）。
【００２７】
図４に示す処理によれば、顔認証に基づいて適切に状態設定処理（サインイン処理、ステータスの設定処理）が自動で実行されるので、ユーザは、サインイン操作、ステータスの設定操作を省略できる。
【００２８】
次に、Ｂｌｏｃｋ２０１０の後のテレビジョン受信装置１による処理について説明する。図５は、ＩＰ電話機能でのサインアウト処理のフローチャートである。ここでは、テレビジョン受信装置１は、電源オン状態を維持し、「On line」のステータスでＩＰ電話機能にサインインした状態を維持しているものとする。  
メインマイクロコンピュータ５２は、ＩＰ電話機能についてのユーザ操作、接続相手先からの着信なしで一定時間経過したか否かを判断する（Ｂｌｏｃｋ４００１）。一定時間経過していない場合（Ｂｌｏｃｋ４００１、Ｎｏ）、メインマイクロコンピュータ５２は、ユーザ操作、接続相手先からの着信を待ち続ける。
【００２９】
一定時間経過した場合（Ｂｌｏｃｋ４００１、Ｙｅｓ）、メインマイクロコンピュータ５２は、テレビジョン受信装置１のオン状態を維持するが、ＩＰ電話機能からサインアウトするように制御し、ＩＰ電話機能にサインインしていない状態を維持する（Ｂｌｏｃｋ４００２）。つまり、Ｂｌｏｃｋ４００２では、メインマイクロコンピュータ５２は、ＩＰ電話機能の動作を停止する。なお、メインマイクロコンピュータ５２は、ＩＰ電話機能からサインアウトするのに代えて、ＩＰ電話機能でのステータスを「Do not Disturb」に変更して設定するようにしてもよい。
【００３０】
図５に示す処理によれば、ユーザは、例えばテレビジョン受信装置１の前から一定時間離席した場合に、接続相手先に正しいステータスを通知することができる。
【００３１】
図６は、Ｂｌｏｃｋ４００１における一定時間（以降、タイムアウト時間という）の変更処理のフローチャートである。図６に示す例は、所定のタイミングにおける、調整ＵＩ(User Interface)によるタイムアウト時間の変更処理である。メインマイクロコンピュータ５２は、所定のタイミングで、現在のタイムアウト時間をディスプレイ２４の表示するように制御する（Ｂｌｏｃｋ５００１）。所定のタイミングとは、例えば、Ｂｌｏｃｋ１００７でＩＰ電話機能でのステータスを「On line」に設定した後、Ｂｌｏｃｋ２００８でＩＰ電話機能にサインインする際（サインインした後）、ユーザがＩＰ電話機能から自発的にサインアウトする際などのうち少なくとも１つのタイミングであるが、限定されない。なお、自発的なサインアウトとは、入力部６１またはリモートコントローラ５を使用して手動で（自発的に）ＩＰ電話機能からサインアウトするためのユーザ操作に基づくものを含む。
【００３２】
メインマイクロコンピュータ５２は、現在のタイムアウト時間を変更するための画面をディスプレイ２４に表示するように制御し、ユーザ操作による変更入力があったか否かを判断する（Ｂｌｏｃｋ５００２）。タイムアウト時間を変更するための画面は、例えば、現在のタイムアウト時間に加算する時間（例えば「−５分」、「−１０分」、「＋５分」、「＋１０分」など）のチェックボックスを表示する。変更入力がある場合（Ｂｌｏｃｋ５００２、Ｙｅｓ）、メインマイクロコンピュータ５２は、タイムアウト時間を変更し、変更後のタイムアウト時間をメモリユニット５３に記録するように制御する（Ｂｌｏｃｋ５００３）。メインマイクロコンピュータ５２は、変更後のタイムアウト時間を用いて、図５に示すフローチャートの処理を実行する。変更入力がない場合（Ｂｌｏｃｋ５００２、Ｎｏ）、メインマイクロコンピュータ５２は、タイムアウト時間を変更することなく維持する（Ｂｌｏｃｋ５００４）。  
図６に示す処理によれば、ユーザは、ライフスタイルに合わせて最適なタイムアウト時間を設定できる。例えば、ユーザは、タイムアウト時間が長すぎる場合、ＩＰ電話機能から自発的にサインアウトしなくてはいけない。ユーザは、サインアウトする際にタイムアウト時間を最適に設定することにより、自動サインアウトの感度を上げることができる。
【００３３】
図７は、ＩＰ電話機能にサインインした後にディスプレイ２４に表示されるＩＰ電話機能の一例となる画面図である。ディスプレイ２４がコンテンツを表示している最中にインターネット網１００を介してＩＰ通話の着信があった場合、ＧＵＩ制御部５５は、コンテンツに重畳させて「着信表示」７１１を表示制御する。「着信表示」７１１は、例えば、画面の右上に表示される。「着信表示」７１１は、例えば着信があることを表示する「着信表示」７１２、送信元すなわち接続相手先を表示する「相手先表示」７１３、応答の方法を示す「応答表示＜１＞」７１４、「応答表示＜２＞」７１５、及び「応答表示＜３＞」７１６、等を含む。なお、「応答表示＜１＞」７１４は、映像付の着信応答を、「応答表示＜２＞」７１５は、音声のみの着信応答を、及び「応答表示＜３＞」は、応答せず、を、それぞれ示す。ユーザは、例えばリモートコントローラ５によるカーソル移動あるいはフォーカスにより、いずれかの応答の方法を選択できる。
【００３４】
メインマイクロコンピュータ５２は、ＩＰ電話機能でのステータスが「Online」に設定されている場合、状態管理部５４が着信を検知すると、スピーカ３６から着信音を出力するように制御する。さらに、メインマイクロコンピュータ５２は、ＧＵＩ制御部５５が図７に示す「着信表示」７１１などの待ち受け画面をディスプレイ２４に表示するように制御する。したがって、メインマイクロコンピュータ５２は、ユーザが着信に対して応答指示または応答せずの指示を入力するまで、着信待受状態の設定を維持する。
【００３５】
一方、メインマイクロコンピュータ５２は、ＩＰ電話機能でのステータスが「Do not Disturb」に設定されている場合（ユーザがテレビジョン受信装置１の近傍にいないと予想される場合）、状態管理部５４が着信を検知すると、直ちに留守番電話機能（録音機能）を起動する。メインマイクロコンピュータ５２は、スピーカ３６から着信音を出力せず、ＧＵＩ制御部５５が図７に示す「着信表示」７１１などの待ち受け画面をディスプレイ２４に表示しないように制御する。つまり、メインマイクロコンピュータ５２は、着信待受不可状態に設定する。  
本実施形態によれば、ユーザは、留守番電話機能の起動を設定する手間を省くことができる。接続相手先は、すぐに留守番電話つながるため、無駄な待ち時間がなくなる。
【００３６】
図８は、ＩＰ電話機能にサインインした後にディスプレイ２４に表示されるＩＰ電話機能の他の例となる画面図である。ＩＰ電話機能画面は、電話帳（相手先リスト）８１１を表示する。電話帳８１１は、相手先のユーザ名と現在のステータスを対応付けて表示する。現在のステータスは、上述したように、ＩＰ電話サーバ１０１から配信される情報に基づいている。ステータスは、「Do not Disturb」８１２、「On line」８１３、「Invisible」８１４など、対応するマークで表示される。「Invisible」は、サインインしていない状態を示す。なお。これらのステータスは、一例であり、限定されない。ＩＰ電話機能画面は、サインインしたアカウントに対応するユーザのステータス８１５も表示する。
【００３７】
図９は、ＩＰ電話機能にサインインした後にディスプレイ２４に表示されるＩＰ電話機能の一例となる画面図である。ＩＰ電話機能画面は、留守番電話に関する情報のリスト９１１を表示する。なお、ＩＰ電話機能画面は、テレビジョン受信装置１での録音処理に代えて、ＩＰ電話サーバ１０１で録音処理されたボイスメールに関するリストを表示するようにしてもよい。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１…テレビジョン受信装置、５…リモートコントローラ、１１…チューナ部、１２…Ｄｅｍｕｘ部、２１…映像処理ブロック、２２…映像デコーダ、２３…映像処理部、２４…ディスプレイ、３１…音声処理ブロック、３２…音声デコーダ、３３…音声処理部、３４…遅延部、３５…Ｄ−Ａコンバータ、３６…スピーカ、４１…ＩＰ電話制御部、４２…Ｄ−Ａコンバータ、４３…映像処理部、４４…Ａ−Ｄコンバータ、４５…カメラ映像処理部、４６…通信ユニット、４７…イヤホン、４８…マイクロフォン、４９…カメラ、５１…主制御ブロック、５２…メインマイクロコンピュータ、５３…メモリユニット、５４…状態制御部、５５…状態管理部、５６…ネットワーク制御部、５７…受信部、５８…タイマー、５９…サブマイクロコンピュータ、６１…入力部、１００…インターネット網、１０１…ＩＰ電話サーバ。
【図１】
2014017761.tif 000003
【図２】
2014017761.tif 000004
【図３】
2014017761.tif 000005
【図４】
2014017761.tif 000006
【図５】
2014017761.tif 000007
【図６】
2014017761.tif 000008
【図７】
2014017761.tif 000009
【図８】
2014017761.tif 000010
【図９】
2014017761.tif 000011